(57)【要約】【課題】高汚濁水を目詰まりを防止して固液分離させた処理原水を薬剤処理し、薬剤処理浄水を蛇口毎に設けた浄水器によって飲料水にすることができる高汚濁水用の浄水処理方法及び装置を提供する。【解決手段】高汚濁水を凝集混合反応装置５によって凝集原水とし固液分離装置で固液分離させた処理原水を、フィルター濾過部２０によって濾過浄水処理したのち薬剤処理槽２１で飲料水用薬剤と混合させて薬剤処理をし、薬剤処理された薬剤処理浄水を蛇口５１毎に設置されて臭い成分等を除去する浄水器５０によって浄水処理をして飲料水にする浄水処理方法と装置した。【選択図】        図１
2007007618.tif 000002
【特許請求の範囲】
【請求項１】
高汚濁水からなる原水を、凝集混合反応装置（５）によって凝集剤と混合攪拌させて汚泥等不純物をフロック化させた凝集原水にしたのち、凝集原水を回転板（１２）と案内部材（１３）で形成される小さな隙間から、濾過水分を重力脱水によって濾過させると共にフロックを回転板（１２）によって移動排出する固液分離装置（６）に供給し、濾過して回収される処理原水をフィルター濾過部（１３）によって濾過浄水処理したのち、薬剤処理槽（２１）で飲料水用薬剤と混合させて薬剤処理をし、薬剤処理された薬剤処理浄水を蛇口（５１）毎に設置されて臭い成分等を除去する浄水器（５０）によって浄水処理をして飲料水にすることを特徴とする高汚濁水用の浄水処理方法。
【請求項２】
薬剤処理槽（２１）と浄水器（５０）との間に補助取水管（５３）を設けて薬剤処理浄水を取り出し給水する請求項１の高汚濁水用の浄水処理方法。
【請求項３】
フィルター濾過部（１３）によって濾過浄水処理した処理水を薬剤処理槽（２１）内で、浄水処理材（３７）によって異物及び臭い等の処理をしたのち、飲料水用薬剤を混合し滅菌等の薬剤処理を行い浄水供給部（１ｃ）に供給する請求項１又は２の高汚濁水用の浄水処理方法。
【請求項４】
汲み上げた高汚濁水を一時的に貯留して沈殿処理する沈殿処理槽（４）と、沈殿処理した原水を凝集剤と混合攪拌させて汚泥等不純物をフロック化して凝集原水にする凝集混合反応装置（５）と、凝集原水を回転板（１２）と案内部材（１３）で形成される小さな隙間から、分離水を重力脱水によって濾過させると共にフロックを回転板（１２）によって移動排出する固液分離装置（６）と、濾過回収された処理原水をフィルター濾過部（１３）によって濾過浄水処理したのち、薬剤処理槽（２１）で飲料水用薬剤と混合させて薬剤処理をする浄水処理部（１ｂ）と、薬剤処理された薬剤処理浄水を蛇口（５１）毎に設置されて臭い成分等を除去して飲料水にする浄水器（５０）とによって構成した高汚濁水用の浄水処理装置。
【請求項５】
上記構成からなる浄水浄水処理装置（１）を、複数の浄水器（５０）をコンテナ（３）後部の左右の側壁（５５），（５５）に振り分けてコンテナ（３）内に収容設置し、左右の浄水器（５０）の間に薬剤処理槽（２１）をメンテナンス作業用の通路（７８）を形成して設置する請求項４の高汚濁水用の浄水処理装置。
【請求項６】
薬剤処理槽（２１）の前側に通路（７８）を隔てて凝集混合反応装置（５）と固液分離装置（６）とフィルター濾過部（１３）等を設ける請求項４又は５の高汚濁水用の浄水処理装置。
【請求項７】
コンテナ（３）の天上部に接続ホース等の作業用品を収納する収納部（７５）を形成した請求項４又は５又は６の高汚濁水用の浄水処理装置。
【請求項８】
コンテナ（３）の天上部に設けた中間横杆（６９）とコンテナベース（７７）の中途部を補助支柱（９０）によって連結し、コンテナ（３）の前側に設置されたコントロールボックス（６１）と凝集混合反応装置（５）等の各機器を接続する配線部材（９１）を、中間横杆（６９）と補助支柱（９０）内を通して接続する請求項４又は５又は６又は７の高汚濁水用の浄水処理装置。
【発明の詳細な説明】
【技術分野】
【０００１】
本発明は、被災地等において高汚濁水を浄水処理し飲料水として給水することができる高汚濁水用の浄水処理方法及び装置に関する。
【背景技術】
【０００２】
従来、掘削工事現場等から排出される高汚濁水（以下原水と言う）を、凝集装置に供給し凝集剤を混合させ、原液中の固形物や不純物を凝集処理することによりフロック化させた凝集原液を形成し、この凝集原液を回転円板型脱液方式の固液分離装置によって固液分離し浄水処理をする固液分離装置は特許文献１で示されるように既に公知である。
また地震や水害等の災害時に被災地に対し造水装置を搭載した移動車両を緊急出動し、最寄りの水源地から汲み上げた原水を、分離膜モジュール及び分離膜ユニット等からなる浄水処理手段によって浄水処理し、この処理浄水に殺菌剤を注入し飲料水にする造水機及び造水方法が既に公知である。
【特許文献１】特開２００４−２４３１８５号公報
【特許文献２】特開平１０−３２３６６６号公報
【発明の開示】
【発明が解決しようとする課題】
【０００３】
上記特許文献１で示される固液分離装置は、多数の回転板を嵌挿した複数の回転軸を上流側から下流側に平行状に並べて軸支し、隣接する回転板の間に凝集原水のガイド面を有する案内部材を配置した構成とし、凝集原液を上流側から下流側に向けて搬送する間に、隣接する回転板と案内部材で形成される隙間から液体を濾過させて液体回収タンクに回収するので、濾過時に目詰まりを生じないで高い浄水処理をすることができる。然し飲料水浄水処理手段を設けていないので、この処理水を飲料水に利用することができない欠点がある。
【０００４】
また特許文献２で示される造水機及び造水方法は、被災地に対し造水装置を移動させ原水を速やかに飲料水に処理して給水することができる。然し分離膜モジュール及び分離膜ユニット等からなる浄水処理手段によって、予め固液分離することなく高汚濁水を分離膜によって直接的に浄水処理する方法であるため、装置が複雑化しコスト高になると共に、浄水性能低下や目詰まりを早期に生じ易く高価な分離膜の交換等のメンテナンス費用が嵩む等の欠点がある。
さらに蛇口（カラム）の配置が一か所に限定され非常時の給水状況の配慮がなされていないため、飲料水を緊急的に必要とする大勢の人達が移動車両の回りで混雑しトラブルを発生させ易い等の問題や、浄水処理装置を荷台に載置するコンテナへの設置に配慮が欠ける等の課題もある。
【課題を解決するための手段】
【０００５】
上記課題を解決するために本発明の高汚濁水用の浄水処理方法及び装置は、第１に、高汚濁水からなる原水を、凝集混合反応装置５によって凝集剤と混合攪拌させて汚泥等不純物をフロック化させた凝集原水にしたのち、凝集原水を回転板１２と案内部材１３で形成される小さな隙間から、濾過水分を重力脱水によって濾過させると共にフロックを回転板１２によって移動排出する固液分離装置６に供給し、濾過して回収される処理原水をフィルター濾過部２０によって濾過浄水処理したのち、薬剤処理槽２１で飲料水用薬剤と混合させて薬剤処理をし、薬剤処理された薬剤処理浄水を蛇口５１毎に設置されて臭い成分等を除去する浄水器５０によって浄水処理をして飲料水にすることを特徴としている。
【０００６】
第２に、薬剤処理槽２１と浄水器５０との間に補助取水管５３を設けて薬剤処理浄水を取り出し給水することを特徴としている。
【０００７】
第３に、フィルター濾過部２０によって濾過浄水処理した処理水を薬剤処理槽２１内で、浄水処理材３７によって異物及び臭い等の処理をしたのち、飲料水用薬剤を混合し滅菌等の薬剤処理を行い浄水供給部１ｃに供給することを特徴としている。
【０００８】
第４に、汲み上げた高汚濁水を一時的に貯留して沈殿処理する沈殿処理槽４と、沈殿処理した原水を凝集剤と混合攪拌させて汚泥等不純物をフロック化して凝集原水にする凝集混合反応装置５と、凝集原水を回転板１２と案内部材１３で形成される小さな隙間から、分離水を重力脱水によって濾過させると共にフロックを回転板１２によって移動排出する固液分離装置６と、濾過回収された処理原水をフィルター濾過部２０によって濾過浄水処理したのち、薬剤処理槽２１で飲料水用薬剤と混合させて薬剤処理をする浄水処理部１ｂと、薬剤処理された薬剤処理浄水を蛇口５１毎に設置されて臭い成分等を除去して飲料水にする浄水器５０とによって構成したことを特徴としている。
【０００９】
第５に、上記構成からなる浄水浄水処理装置１を、複数の浄水器５０をコンテナ３後部の左右の側壁５５，５５に振り分けてコンテナ３内に収容設置し、左右の浄水器５０の間に薬剤処理槽２１をメンテナンス作業用の通路７８を形成して設置することを特徴としている。
【００１０】
第６に、薬剤処理槽２１の前側に通路７８を隔てて凝集混合反応装置５と固液分離装置６とフィルター濾過部２０等を設けることを特徴としている。
【００１１】
第７に、コンテナ３の天上部に接続ホース等の作業用品を収納する収納部７５を形成したことを特徴としている。
【００１２】
第８に、コンテナ３の天上部に設けた中間横杆６９とコンテナベース７７の中途部を補助支柱９０によって連結し、コンテナ３の前側に設置されたコントロールボックス６１と凝集混合反応装置５等の各機器を接続する配線部材９１を、中間横杆６９と補助支柱９０内を通して接続することを特徴としている。
【発明の効果】
【００１３】
以上のように構成される本発明によれば、高汚濁水からなる原水を、凝集混合反応装置によって凝集剤と混合攪拌させて汚泥等不純物をフロック化させた凝集原水にし、凝集原水を回転板と案内部材で形成される小さな隙間から、液体分を重力脱水によって濾過させると共にフロックを回転板によって移動排出する固液分離装置に供給することにより、原水中の不純物をフロック化させ液体と確実に分離することができる、目詰まりを防止した固液分離を連続的に行うことができる。
また固液分離した処理原水をフィルター濾過部によって濾過浄水処理したのち、薬剤処理槽で飲料水用薬剤と混合させて薬剤処理された薬剤処理浄水を、蛇口毎に設けた浄水器によって浄水処理をし飲料水にするので、浄水器の浄水処理負荷を軽減しながら浄水処理を長期間にわたって行うことができる。また蛇口毎に設ける浄水器は簡潔な構成で廉価な小型浄水器を用いることができ、浄水素材の交換等のメンテナンス作業を簡単に行うことができる。
【００１４】
また補助取水管から供給される水は薬剤処理槽による薬剤処理を行い、緊急時給水用の浄水処理装置として浄水器を通すことなく、主として生活用水として給水するので、使用上の安全性を確保しながら浄水器の浄水部材に負荷を掛けないで、給水作業を低コストで連続的に行うことができる。
【００１５】
フィルター濾過部によって濾過浄水処理された処理水を、薬剤処理槽内で浄水処理材により浄水処理するので、異物等を低減した処理浄水に対し飲料水用薬剤の混合反応を確実にすることができる。
【００１６】
高汚濁水からなる原水を凝集混合反応装置によって、凝集剤と混合攪拌しフロック化させた凝集原水にすることができ、また固液分離装置によって凝集原水を回転板と案内部材で形成される小さな隙間から液体分を重力脱水によって目詰まりを防止して濾過させ、液体とフロックとの固液分離を目詰まりを防止し連続的に行うことができる。
また固液分離された処理原水はフィルター濾過部によって濾過浄水処理して薬剤処理槽に供給するので、飲料水用薬剤との混合反応が促進され、薬剤処理浄水を蛇口毎に設けた浄水器によってさらに浄水処理をして飲料水にすることができる。これにより浄水器の浄水処理負荷を軽減しながら良質な浄水処理を長期間にわたって行うことができる。また蛇口毎に設ける浄水器を簡潔で廉価な構成の小型浄水器を用いるので、浄水処理材の交換等のメンテナンス作業が簡単な浄水処理装置を提供することができる。
【００１７】
浄水処理装置を収容したコンテナは移動車両の荷台ａに載置された状態で、周囲が開放されている車両後方の左右でコンテナの低い位置に複数の蛇口を横方向に設置することができるので、大勢の人達が集合し飲料水を必要とする際に混乱に伴うトラブルを解消し、飲料水の無駄を防止しスムーズに給水することができる。
【００１８】
作業者は薬剤処理槽の前側の通路を介して、凝集混合反応装置と固液分離装置及びフィルター濾過等の監視及びメンテナンス作業を行うことができると共に、左右の浄水器側への移動をスムーズに行うことができる。
【００１９】
接続ホースや工具等の作業用品をコンテナ室内に散在させることなく、天井部表面側の広い空きスペースを利用して収納及び取り出し等の作業を簡単に行うことができる。
【００２０】
補助支柱によって天井部の中間横杆の中途部を強固に支持することができると共に、コントロールボックスから各機器と接続する配線部材を、コンテナ内に大きく露出させることなく、中間横杆と補助支柱内を通して各機器に簡潔な構成によって配線することができる。
【発明を実施するための最良の形態】
【００２１】
本発明の一実施形態を図面に基づいて説明する。図１〜図４で示す符号１は、本発明に係わる浄水処理方法によって泥水等の原水を飲料水或いは生活用水に浄水処理する浄水浄水処理装置１である。この実施形態で示す浄水処理装置１は図１で示される処理システムからなり、トラック等の移動車両２の荷台２ａに着脱可能に載置される、図２〜図４で示すコンテナ３にコンパクトに纏めて収納配置される。これにより移動運搬を行い易くしていると共に、被災地等において緊急時の浄水処理作業及びメンテナンス作業を利便性を有して行うことができる構成となっている。
【００２２】
先ず浄水処理装置１について図１に示す浄水処理フローを参照し説明する。この浄水浄水処理装置１は各種の高汚濁水が貯留される池や河川，プール等から汲み上げた原水を、固液分離処理をする固液分離処理部１ａと、固液分離処理部１ａから供給される処理原水を生活用水となるレベルに濾過し薬剤処理する浄水処理部（濾過薬剤処理部）１ｂと、濾過処理水を飲料水となるレベルに浄水処理すると共に給水する浄水供給部１ｃとから構成している。
【００２３】
上記各部の構成について説明する。固液分離処理部１ａは、ポンプ４ａで汲み上げた原水を一時的に貯留し沈殿処理する沈殿処理槽４と、該沈殿処理槽４からポンプ５ａによって供給される沈殿処理済の原水と凝集剤を混合させ汚泥等不純物をフロック化させる凝集混合反応装置５と、該凝集混合反応装置５で処理された凝集処理原水をフロック成分と分離水とに固液分離させる固液分離装置６等からなる。
尚、ポンプ４ａは中途部に呼び水タンク４ｂを有する吸水管４ｃを備え、該吸水管４ｃの接続端に点線で示すように接続ホースを接続し貯水部に臨ませる。
【００２４】
図示例の凝集混合反応装置５は、沈殿処理槽４からポンプ５ａを介して供給される原水を、一時的に貯留して凝集剤タンク７ａから供給される凝集剤を攪拌羽根７ｂで攪拌混合する凝集混合槽７と、凝集混合槽７から供給される凝集剤混合原水( 以下凝集原水という）を受けて、一時的に貯留し攪拌羽根７ｂで攪拌しながら凝集反応を促進させ原水中の固形物をフロック化させる凝集反応槽８等で構成される。
【００２５】
また固液分離装置６は特許文献１で示されるものと略同様の構造によって凝集混合反応装置５から供給される凝集原水をフロックと水とに目詰まり等を伴うことなく能率よく固液分離することができる。即ち、固液分離装置６は図４で示すように、液体回収タンク１０の周囲に立設されるタンクフレーム１０ａに、複数の回転軸１１を上流側から下流側に平行状に並べて回転自在に軸支し、該回転軸１１に多数の回転板１２を所定間隔毎に軸装している。そして各回転軸１１の隣接する回転板１２の間に直線状のガイド面を有する案内部材１３を一連に配列した構成となっている。
【００２６】
これにより固液分離装置６は、凝集反応槽８からタンクフレーム１０ａの入口１５を介して供給される凝集原水を、同一方向に同速で回転される各回転軸１１の回転板１２の外周によって上流側から下流側に向けて搬送する間に、隣接する回転板１２と案内部材１３で形成される小さな隙間から、液体分を重力脱水によって濾過させ、濾過した処理原水を下方に形成された液体回収タンク１０に回収することができる。
【００２７】
このとき凝集原水中の固形物は各回転板１２の波形の搬送軌跡によって送り方向に変動され、固液分離を速やかに行なってフロックを確実に搬送し、終端の排出口１６から排出することができる。
上記のように構成される回転円板型の固液分離装置６は、凝集混合反応装置５から凝集原水を単に上方から落下投入する簡単な手段で供給でき、供給された凝集原水を回転板１２が軸方向に列設される巾で、搬送面の全面でフロック化した固形物を掻き上げ搬送して固液分離を行うことができる。従って、固形物は案内部材１３の滞留や目詰まりを防止し、液体分の重力脱水による濾過を能率よく簡単に行うことができる。
【００２８】
次に浄水処理部１ｂについて説明する。この浄水処理部１ｂは固液分離装置６からポンプ６ａを介して供給される処理原水を濾過するフィルター濾過部２０と、フィルター濾過部２０のポンプ２１ａから供給される濾過浄水を濾過及び薬剤処理をする薬剤処理槽２１とからなる。
【００２９】
図１，図５で示すようにフィルター濾過部２０は、方形状のフィルタータンク２２内に４体の布袋製の袋フィルター２３を内装し、袋フィルター２３から漏出した濾過浄水を下方の集水タンク２５で集水し、ポンプ２１ａを介して薬剤処理槽２１に供給する。
この実施形態におけるフィルター濾過部２０は、ポンプ６ａが有する上流側の管路２６と切換バルブ２７を介して接続される２本のフィルター支持管２９，２９をフィルタータンク２２内に延長しており、フィルター支持管２９，２９に形成した取付部に対し、それぞれ２体の袋フィルター２３を着脱可能に取付支持している。
【００３０】
この構成によりフィルター濾過部２０は、切換バルブ２７を択一的に切り換えることにより、一方のフィルター支持管２９側の２体の袋フィルター２３を使用し、使用に基づく目詰まり状況により切換バルブ２７を切り換えて他方のフィルター支持管２９側の２体の袋フィルター２３を使用することができる。そして、この間に一方の袋フィルター２３を外して清掃等のメンテナンス作業を行うことができる。
【００３１】
従って、濾過作業に支障をきたすことなく緊急時の給水を連続的に行うことができると共に、清掃等のメンテナンス作業を簡単に行うことができる等の利点がある。
尚、実施形態の袋フィルター２３は一般的に使用されている布製の袋であり５〜１０ミクロン以上の各種の異物を除去することができ、後述する浄水供給部１ｃの浄水処理負荷を軽減することができる。
【００３２】
次に薬剤処理槽２１について説明する。この薬剤処理槽２１は図６で示すように方形状のタンク３０内の中央部を底壁から立設した仕切壁３１，３１と、複数の堰壁３２，３２・・で区画し各部屋を一連の流路を形成して連通させている。そして、フィルター濾過部２０からポンプ２１ａを有する給水管３３を臨ませる第１室３５は前記濾過水を受け入れる入水室とし、次位の第２室３６は上部にゼオライト粒，活性炭等の浄水処理材３７を交換可能に設置し、下流側で薬剤供給装置３８の供給ノズル３９を備えた第３室４０以降を、各堰壁３２で区画した複数の混合室を連続的に形成している。
【００３３】
そして、最下流室４１の送水口４２からポンプ４３を介して浄水供給部１ｃに送水することができる。尚、この実施形態で薬剤処理槽２１に収容される飲料水用薬剤は、次亜塩素酸ナトリュウームとしている。
この構成により先ず、第１室３５に供給される濾過水は堰壁３２の下部開口から第２室３６に流入し、ここで窒素分や微細な異物の吸着や微生物処理が浄水処理材３７によって行われ、この中間浄水が矢印で示すように堰壁３２の上部を越えて次位の第３室４０以降に流入する。
【００３４】
このとき第３室４０では流入量に応じ中間浄水に、薬剤供給装置３８から送られる薬剤が供給ノズル３９から点滴状に適量供給される。薬剤が混入された中間処理水（薬剤処理水）は、図１，図６の矢印で示すように各堰壁３２の上端及び下端を越えて各混合室を流動する間に、薬剤を十分な時間をかけ確実に混合反応させて最下流室４１に至り、塩素滅菌等の薬剤処理された薬剤処理水が、送水口４２からポンプ４３によって給水管４５を介して後述する浄水器５０に送水される。
【００３５】
次に図１〜図３を参照し浄水供給部１ｃについて説明する。この浄水供給部１ｃは前記ポンプ４３に接続される二股状に分岐した給水管４５，４５に、それぞれ浄水器５０と蛇口５１を接続した複数の取水管５２，５２・・を接続し、且つ少なくとも一方の給水管４５の上流側に、浄水器５０を有しない取水バルブ付きの補助取水管５３を接続した構成としている。
【００３６】
そして、浄水供給部１ｃの給水管４５，４５は、後述するコンテナ３の後部左右の側壁５５の内側に沿って配管しており、各浄水器５０は各側壁５５の中途部に取付固定した棚台５６上に載置した状態で、図７で示される蛇口配置位置で各蛇口５１を側壁５５，５５の外側に向け横並び状に取付けている。
【００３７】
また補助取水管５３は浄水器５０を設けないで、薬剤処理槽２１から薬剤処理のみを行った処理浄水を生活用水としてそのまま給水するようにしており、コンテナ３の後部において前記吸水管４ｃの近傍に設けることが望ましい。
上記浄水器５０は例えば家庭用の浄水器として汎用される、繊維活性炭や粒状活性炭並びにゼオライト粒等の浄水素材を収容した交換用カートリッジ方式のものとしている。この浄水素材は薬剤処理槽２１から送水される薬剤処理水の臭い成分や微細なゴミ類を確実に除去処理し、水質基準値をクリアーした飲料水にすることができる。
【００３８】
以上のように構成される浄水供給部１ｃは、トラック等の移動車両２の荷台２ａに載置された状態で、周囲が開放されている車両後方の左右でコンテナ３の低い位置に複数の蛇口５１を横方向に設置するので、飲料水を非常時に緊急に必要とする大勢の人達が集合する際の混雑を防止すると共に、混乱に伴う争いや飲料水が無駄にこぼされたりするトラブルを解消し、多くの人に供給することができる。
【００３９】
即ち、浄水処理装置１を搭載した移動車両の周囲に群がる大勢の人達は、コンテナ後部幅の空間を隔て左右に自ずと別れて各蛇口５１毎に整列することになるので、混雑を伴い易い非常時の飲料水の配給に秩序を構築しスムーズに行うことができる。
また補助取水管５３には図示しない接続ホースを接続することもでき、車両から離間した位置において混雑を防止し生活用水を供給することができる。
【００４０】
このとき補助取水管５３から供給される水は、非常時給水用の生活用水として浄水器５０を通すことなく、薬剤処理槽２１による薬剤処理までを行ったのち給水するようにしているので、生活用水としての使用上の安全性を確保しながら、浄水器５０の浄水部材への負荷を掛けないで、給水作業を低コストで能率よく行うことができる利点がある。
尚、凝集混合反応装置５及び薬剤処理槽２１等から排出されるドレンは、図１に示すようにドレンタンク５８に集合されドレンポンプ５９ａ及びドレン管５９を介して装置外に排出し取り出すことができる。
【００４１】
以上のように高汚濁水の原水を浄水処理する浄水処理装置１は、本実施形態のものでは図２，図３で示すようにエンジン型発電機６０で発電した電気によって、電動型の各ポンプの駆動及び各タンク部や管路の要所に設置される水位センサ，圧力センサ、並びにこれらの自動及び手動操作を司るコントロールボックス６１の作動を行う方式としている。
この発電機６０は給水作業が行われる後方を避けて、コンテナ３の最前部に重量バランスを確保して設置している。
【００４２】
またコントロールボックス６１は発電機６０の上方でコンテナ３の前側壁６２に取付支持している。このコントロールボックス６１は、例えば蛇口５１或いは補助取水管５３の給水状況に基づく水位の変化或いは圧力の変化を、各機器の所定箇所に設置されるセンサ類が検出したとき、ポンプ４ａ並びに関連機器の作動停止を自動的に行い給水作業を無駄なく省力的に行うことができる。
【００４３】
次に図２〜図４及び図７〜図９を参照し浄水処理装置１のコンテナ３に対する設置構造について説明する。このコンテナ３は図７〜図９で示すように４隅の支柱６５及び中間支柱６６を上下の横杆６７で連結し箱型のコンテナ枠を形成している。このコンテナ枠は天井部の前後の横杆６７を中央部で連結する中空状の中間横杆６９を設け、該中間横杆６９と左右の横杆６７，６７を複数の連結杆７０で所定間隔毎に連結し、且つ天井板７２を張設し天井を形成し、側面の各開口部にはドア７３を開閉可能に枢支している。７４は天井部の横杆６７に立設したガード杆である。
【００４４】
図示例のコンテナ３は天井部において、上記各枠部材で形成される枡目状の区画の全部又は一部を、給水作業に使用される接続ホース類や伸縮型バケツ等の容器並びにメンテナンス作業用の工具や備品等各種の作業用品を収納する収納部７５としている。
この収納部７５は図８，図９で示すように、横杆６７の高さ（厚さ）のスペースを利用して構成している。
【００４５】
即ち、収納部７５は横杆６７と中間横杆６９の底面に天井板を兼用する底板７２を張設し、その上部を防水構造の蓋板７６で開閉可能に覆う構成にしている。これにより多種の作業用品をコンテナ室内に散在させることなく、天井部の区画された枠スペースを利用し整然と収納することができ、緊急性を要する給水作業時に各用品の取り扱いをスムーズに行うことができる。このとき天井部表面側の広い空きスペースを利用し作業用品を仮置きしながら、収納及び取り出しを簡単に行うことができる利点もある。
【００４６】
またコンテナ３のコンテナベース７７は、下部の横杆６７及びネット部材からなる平坦面状の床面となし、後述する構成によって作業者が移動し易いように浄水処理装置１の各機器を配置している。図示例の配置構造によれば、コンテナ３の後部左右に浄水器５０及び蛇口５１を既述の通り左右の側壁５５側に配置すると共に、両者の中間に設置される薬剤処理槽２１との間及び該薬剤処理槽２１の前側に、後方及び前方から作業者が乗降移動可能な通路７８を一連に形成している。
【００４７】
また通路７８の前側には固液分離処理部１ａの固液分離装置６と凝集混合反応装置５及び沈殿処理槽４を左右に並設し、浄水処理部１ｂのフィルター濾過部２０を適宜な支持枠によって固液分離装置６の後方上方に支持している。また発電機６０は通路７８ａを隔てた前側に設置される。この際沈殿処理槽４の上部は蓋部材を兼用する歩み板８０によって開閉可能に閉鎖され、歩み板８０の上方を通路７８と通路７８ａに通ずる通路として一連に移動することができる構成にしている。
【００４８】
さらに固液分離装置６は、タンクフレーム１０ａの上部に踏み板８１を設けて開閉可能に塞ぎ、これにより固液分離装置６はコンテナベース７７の床面から階段状の踏み台を構成ようにしている。これにより固液分離装置６を踏み台として利用し、高い位置にあるフィルター濾過部２０のフィルター３２の交換等のメンテナンス作業を行い易くし、また各処理部の処理状況の監視を行なうことができる。さらに装置全体の小型化を図ることもできて利便性を備える構成となっている。
【００４９】
またコンテナ３は天井部の中間横杆６９とコンテナベース７７をパイプ材からなる複数の補助支柱９０によって連結補強している。そして、前側のコントロールボックス６１と各機器を接続する配線部材９１を、前記中間横杆６９の前側から中空内に通し補助支柱９０内を降ろして各機器に配線する。
【００５０】
上記構成により周囲に多数のドア７３を有するコンテナ３は、前後に長い天井部を中間横杆６９が補助支柱９０によって補強支持されるので、全体を剛性を有する枠構造にすることができる。また上下を強固に固定される補助支柱９０は前記フィルター濾過部２０等を支持する支持台を連結する構造部材にすることができる等の特徴がある。
【００５１】
以上のように構成される浄水処理装置１は、コンテナ３内に収納設置した状態で移動車両２に載置され、地震や水害等の被災地に対し速やかに移動することができ、現地において最寄りの水源地で高汚濁水を汲み上げた際でも、本発明の浄水処理方法によって水質基準に適合する浄水処理行い、きれいな飲料水を多くの人達にスムーズに給水することができる。尚、浄水処理装置１を収容したコンテナ３は荷台２ａから外した状態で、例えばヘリコプターで吊り下げ離島や山間地にも搬送することができ、また浄水処理装置１は水質条件が劣る渇水地域において地上設置型のものとしても使用することができる。
【００５２】
このとき高汚濁水からなる原水を、凝集混合反応装置５によって凝集剤と混合攪拌させて汚泥等不純物をフロック化させた凝集原水にしたのち、固液分離装置６によって凝集原水を回転板１２と案内部材１３で形成される小さな隙間から液体分を重力脱水によって濾過させ、フロックを回転板１２によって移動排出するので、目詰まりを防止した固液分離を連続的に行うことができる。
【００５３】
また処理原水をフィルター濾過部２０によって濾過浄水処理したのち、薬剤処理槽２１で飲料水改質用剤と混合させて薬剤処理をし、薬剤処理された薬剤処理浄水を蛇口５１毎に設けた浄水器５０によって浄水処理をし飲料水にするので、浄水器５０の浄水処理負荷を軽減しながら浄水処理を行うことができる。また蛇口５１毎に設ける浄水器５０は小型浄水器にしたので、浄水素材の交換や清掃等のメンテナンス作業を省力的に行うことができる。
【図面の簡単な説明】
【００５４】
【図１】本発明の浄水処理方法及び装置の構成を示すシステム図である。
【図２】図１の装置をコンテナ内に備えた構成を示す側面図である。
【図３】図２の平面図である。
【図４】図２の固液分離部の構成を一部破断をして示す正面図である。
【図５】フィルター濾過部の構成を示す側断面図である。
【図６】薬剤処理槽の構成を示す平面図である。
【図７】浄水処理装置を収納するコンテナの正面図である。
【図８】図７の平面図である。
【図９】図７の右側面図である。
【符号の説明】
【００５５】
１    浄水処理装置
１ａ  固液分離処理部
１ｂ  浄水処理部
１ｃ  浄水供給部
２    移動車両
３    コンテナ
４    沈殿処理槽
５    凝集混合反応装置
６    固液分離装置
１２  回転板
１３  案内部材
２０  フィルター濾過部
２１  薬剤処理槽
５０  浄水器
５１  蛇口
５５  側壁
６９  中間枠
７３  通路
７７  コンテナベース
７８  通路
９０  補助支柱
９１  配線部材
【図１】
2007007618.tif 000003
【図２】
2007007618.tif 000004
【図３】
2007007618.tif 000005
【図４】
2007007618.tif 000006
【図５】
2007007618.tif 000007
【図６】
2007007618.tif 000008
【図７】
2007007618.tif 000009
【図８】
2007007618.tif 000010
【図９】
2007007618.tif 000011